(57)【特許請求の範囲】
【請求項１】
アナログ端末装置及びデータ端末装置を含む複数の端末装置を収容し、複数の通信チャンネルを備えたデジタル通信網を介して通信を行わせる通信装置であって、
前記アナログ端末装置及びデータ端末装置を含む複数の端末装置を接続する複数の物理ポートと、
前記複数の通信チャンネルと前記複数の物理ポートとを自在に接続する切替部と、
前記複数の通信チャンネルの１つを、前記複数の物理ポートの１つに固定的に割り付ける割付部と、
前記切替部と前記割付部とを接続しており、前記複数の通信チャンネルを前記切替部と前記割付部に分配接続する制御部であって、所定の通信接続動作に応じて、前記複数の通信チャンネルの１つを前記割付部へ接続し、残りの通信チャンネルを前記切替部に接続するチャンネル制御部とを備え、
前記割付部が、前記複数の通信チャンネルの１つを前記複数の物理ポートの１つに固定的に割付けている場合、前記切替部は、残りの物理ポートに接続された端末装置に係る通信接続動作のとき、当該残りの物理ポートを残りの通信チャンネルのいずれかに接続することを特徴とするＩＳＤＮに使用する通信装置。
【発明の詳細な説明】
【０００１】
【発明の属する技術分野】
本発明は、サービス総合デジタル通信網（以下、単にＩＳＤＮと称する）を介して通信を行うターミナルアダプタ等のＩＳＤＮに使用する通信装置に関し、殊にＩＳＤＮの基本インタフェースを構成するＢ１チャンネル及びＢ２チャンネルを個々に使用して、通信及び通話を行う場合に最適なＩＳＤＮに使用する通信装置に関する。
【０００２】
【従来の技術】
このようなＩＳＤＮの基本インタフェースとしては、情報チャンネルであるＢチャンネルを２チャンネルとし、制御チャンネルであるＤチャンネルを１チャンネルとして、２Ｂ＋Ｄのチャンネル形式で規定してある。尚、このＢチャンネルの伝送速度は６４Ｋｂｐｓで、Ｄチャンネルの伝送速度は１６Ｋｂｐｓである。
【０００３】
前記Ｂチャンネルは、Ｂ１及びＢ２チャンネルの計２チャンネルを有し、これらチャンネルはそれぞれ独立した情報チャンネルである。
【０００４】
では、このＩＳＤＮを介して通信接続する従来のＩＳＤＮ用通信装置について説明する。
【０００５】
このＩＳＤＮ用通信装置としては、アナログ端末、デジタル端末やデータ端末等の通信端末を収容接続するものであり、これら各通信端末は一つのＢチャンネルを介して個々に通信又は通話接続するものである。
【０００６】
つまり、このＩＳＤＮ用通信装置が、例えば１台のデータ端末と２台のアナログ端末とを収容接続している場合、Ｂチャンネルは２チャンネルであるので、これら収容接続されている通信端末の内、最大２台までが、早い者勝ちでＢチャンネルを使用することができる。
【０００７】
【発明が解決しようとする課題】
しかしながら、上記従来のＩＳＤＮ用通信装置によれば、これらＢ１及びＢ２チャンネルが使用中の場合には、どちらか一方のＢチャンネルの空きを待つか、若しくは使用中の通信及び通話を強制的に切断しなければ、緊急時の発着信に対して即座に対応することができず、さらに、たとえＢチャンネルの空き待ち又は強制切断を行ったとしても緊急の着信に対して即座に対応することはできないといった問題点があった。
【０００８】
本発明は、上記問題点に鑑みてなされたものであり、その目的とするところは、緊急時の発信又は着信に対して即座に対応することができるＩＳＤＮに使用する通信装置を提供することにある。
【０００９】
【課題を解決するための手段】
上記の目的を達成するために本発明のＩＳＤＮに使用する通信装置は、アナログ端末装置及びデータ端末装置を含む複数の端末装置を収容し、複数の通信チャンネルを備えたデジタル通信網を介して通信を行わせる通信装置であって、前記アナログ端末装置及びデータ端末装置を含む複数の端末装置を接続する複数の物理ポートと、前記複数の通信チャンネルと前記複数の物理ポートとを自在に接続する切替部と、前記複数の通信チャンネルの１つを、前記複数の物理ポートの１つに固定的に割り付ける割付部と、前記切替部と前記割付部とを接続しており、前記複数の通信チャンネルを前記切替部と前記割付部に分配接続する制御部であって、所定の通信接続動作に応じて、前記複数の通信チャンネルの１つを前記割付部へ接続し、残りの通信チャンネルを前記切替部に接続するチャンネル制御部とを備え、前記割付部が、前記複数の通信チャンネルの１つを前記複数の物理ポートの１つに固定的に割付けている場合、前記切替部は、残りの物理ポートに接続された端末装置に係る通信接続動作のとき、当該残りの物理ポートを残りの通信チャンネルのいずれかに接続することを特徴とする。
【００１０】
前記ＩＳＤＮ用通信装置は、ターミナルアダプタに相当するものである。前記通信端末は、例えばパソコン等のデータ端末や、電話機やＦＡＸ等のアナログ端末やデジタル端末に相当するものである。
【００１１】
従って、本発明のＩＳＤＮ用通信装置によれば、これらＢ１及びＢ２チャンネルの内、一方のＢチャンネルを緊急用のチャンネルとして所定の通信端末に固定接続しておき、この一方のＢチャンネルの空き状態を確保しながら、所定の通信端末の発着信を可能にしたので、常時、所定の通信端末に対する緊急時の発信又は着信に対して即座に対応することができる。
【００１２】
【発明の実施の形態】
以下、図面に基づいて本発明のＩＳＤＮ用通信装置の実施の形態を示すターミナルアダプタを適用したＩＳＤＮ通信システムについて説明する。図１は本発明のＩＳＤＮ用通信装置の実施の形態を示すターミナルアダプタを適用したＩＳＤＮ通信システム内部の概略構成を示すブロック図である。
【００１３】
図１においてＩＳＤＮ通信システムは、ＩＳＤＮ１と、このＩＳＤＮ１と接続する二つの通信システム２（２ａ，２ｂ）とを有している。
【００１４】
一方の通信システム２ａには、複数の通信端末１０である、データ端末（パソコン）４、アナログ端末（ＦＡＸ）５及びアナログ端末（電話機）６と、これら通信端末１０とＩＳＤＮ１とをインタフェースするターミナルアダプタ３とを有している。尚、この通信システム２ａは、他方の通信システム２ｂと同一の構成であり、説明の便宜上、一方の通信システム２ａを発信側とし、他方の通信システム２ｂを着信側とする。
【００１５】
図２はターミナルアダプタ３内部の概略構成を示すブロック図である。
【００１６】
このターミナルアダプタ３は、ＩＳＤＮ用通信装置として機能するものであり、データ端末（パソコン）４、アナログ端末（ＦＡＸ）５、アナログ端末（電話機）６のいずれかからの起動によって、Ｂ１チャンネル又はＢ２チャンネルを、ＩＳＤＮ１を介して相手方の通信端末１０に接続するものである。
【００１７】
図２においてターミナルアダプタ３は、ＩＳＤＮ１を介して着信フレームを受信するレシーバ部１１と、ドライバ部１５と、レイヤ１機能を制御するレイヤ１制御部１２と、Ｂ１チャンネル又はＢ２チャンネルのいずれかを用いて物理ポートとしての、例えばデータ端末（パソコン）４、アナログ端末（ＦＡＸ）５やアナログ端末（電話機）６に接続するＢチャンネルインターフェース部１４と、ターミナルアダプタ３全体を制御する制御部１３とを有している。
【００１８】
前記レイヤ１制御部１２は、ＡＭＩからＮＲＺへ、又はＮＲＺからＡＭＩへ符号変換するデータフォーマット変換部１２ａと、Ｂ１チャンネル及びＢ２チャンネルの二つのチャンネルに分割するフレーム分解部１２ｂと、Ｂ１チャンネル及びＢ２チャンネルを一つのチャンネルに統括するフレーム組立部１２ｃとを有している。
【００１９】
前記Ｂチャンネルインタフェース部１４は、Ｂ１チャンネル又はＢ２チャンネルのいずれかを用いて物理ポートに切替接続する切替部１４ｂと、後述する予約割付機能を司る予約割付部１４ｃと、このＢチャンネルインタフェース部１４全体を制御するＢチャンネル制御部１４ａとを有している。
【００２０】
では、本実施の形態におけるＩＳＤＮ通信システムの動作について説明する。
【００２１】
通信システム２ｂからの発信に対応する着信を受けた通信システム２ａにおけるターミナルアダプタ３の動作について説明する。
【００２２】
この着信側通信システム２ａにおけるターミナルアダプタ３がＢチャンネル予約割付機能を設定していない場合には、Ｂ１チャンネル及びＢ２チャンネルが物理ポートに予約割付、つまり固定接続していない。図３はＢチャンネル予約割付機能を設定していない場合の動作状態を示す動作説明図である。
【００２３】
前記ターミナルアダプタ３内のレシーバ部１１は、着信側通信システム２ａへの着信としてフレームを受信する。このレシーバ部１１がフレームを受信すると、レイヤ１制御部１２のデータフォーマット変換部１２ａは、このフレームをＡＭＩからＮＲＺに符号変換してフレーム分解部１２ｂに転送する。
【００２４】
フレーム分解部１２ｂは、この符号変換されたフレームをＢ１チャンネル及びＢ２チャンネルの２つのチャンネルに分割して、Ｂチャンネルインタフェース部１４のＢチャンネル制御部１４ａにて、切替部１４ｂを介してＢ１チャンネル及びＢ２チャンネルのいずれかを用いて物理ポートとしての通信端末１０に接続する。
【００２５】
尚、この際、もう一方のＢチャンネルは空き状態であるので、次のパソコン、ＦＡＸ、電話機等の通信端末からのどのような着信をも同様のルートで無条件に受付通信及び通話を行うことができる。
【００２６】
また、この通信システム２ａから発信する場合には、ターミナルアダプタ３に接続されているデータ端末（パソコン）４、アナログ端末（ＦＡＸ）５及びアナログ端末（電話機）６のいずれかからの起動によって、前記レイヤ１制御部１２のフレーム組立部１２ｃは、チャンネルを統括してデータフォーマット変換部１２ａに転送する。このデータフォーマット変換部１２ａは、そのデータフォーマットをＮＲＺからＡＭＩに符号変換し、ドライバ部１５を経て通信システム２ｂの通信端末１０に接続する。
【００２７】
尚、この際、もう一方のＢチャンネルは空き状態であるので、ターミナルアダプタ３に接続されている使用中以外の通信端末１０からでも無条件に発信又は通信を行うことができる。
【００２８】
このようにターミナルアダプタ３は、通信システム２ｂからの着信を受けると、フレーム分解部１２ｂにてＢ１チャンネル及びＢ２チャンネルの二つのＢチャンネルに分割されたものをＢチャンネル制御部１４ａで受け付け、このＢチャンネル制御部１４ａにてＢチャンネル予約割付機能設定の有無を判断し、機能設定なしの場合には、前記切替部１４ｂにＢ１チャンネル及びＢ２チャンネルの両方を接続することにより、データ端末（パソコン）４、アナログ端末（ＦＡＸ）５又はアナログ端末（電話機）６の通信端末１０の内のいずれかに片方のＢチャンネルを接続する。
【００２９】
また、もう一つの着信を受け付けた場合も同様に、空き状態のＢチャンネルを通信端末１０に接続することにより、この通信端末１０は着信を受けることができる。
【００３０】
また、発信の場合も同様に、発信準備の早いものから順に、空き状態のＢチャンネルを占有することにより、この通信端末１０は発信を行うことができる。
【００３１】
しかしながら、このようにＢ１チャンネル及びＢ２チャンネルの両方を使用してしまうと、これらＢチャンネルが塞がってしまって、例えば緊急時の発着信といった重要な発着信に対処することができないといった事態が生じる。
【００３２】
そこで、このような事態に対処すべく、前述したＢチャンネル予約割付機能がある。
【００３３】
このＢチャンネル予約割付機能とは、二つのＢチャンネルの内、一方のＢチャンネルを自由に使用可能とし、他方のＢチャンネルを頻繁に使用する通信端末１０や重要な着信のある通信端末（物理ポート）１０に割り付けて、固定接続しておくものである。
【００３４】
では、このＢチャンネル予約割付機能としてアナログ端末（電話機）６に設定した場合の動作について説明する。図４はＢチャンネル予約割付機能を設定した場合の動作状態を示す動作説明図である。
【００３５】
図４においてＢチャンネルインタフェース部１４の予約割付部１４ｃは、この設定を受けると、一方のＢチャンネルを、例えばアナログ端末（電話機）６としての物理ポートに割り付けて固定接続する。
【００３６】
このように予約割付部１４ｃが、一方のＢチャンネルをアナログ端末（電話機）６に割り付けた場合、このターミナルアダプタ３のレシーバ部１１は、他の通信システム２ｂのパソコン又はＦＡＸからの着信をフレームとして受信し、このフレームをレイヤ１制御部１２に転送する。
【００３７】
このレイヤ１制御部１２は、データフォーマット変換部１２ａにてフレームをＡＭＩからＮＲＺに符号変換し、フレーム分解部１２ｂにてＢ１チャンネル及びＢ２チャンネルの二つのチャンネルに分割し、Ｂチャンネルインタフェース部１４のＢチャンネル制御部１４ａにて、前記切替部１４ｂを介して、割付されていない空き状態のＢチャンネルを、割付されていない物理ポートとしてのデータ端末（パソコン）４又はアナログ端末（ＦＡＸ）５のいずれかに接続する。
【００３８】
この際、予約割付されている一方のＢチャンネルが空き状態であったとしても、この一方のＢチャンネルがアナログ端末（電話機）６に予約割付、つまり固定接続しているので、この一方のＢチャンネルでパソコンやＦＡＸからの着信を受け付けることは無く、アナログ端末（電話機）６の専用チャンネルとして発着信を確保することができる。
【００３９】
また、発信の場合も同様に、データ端末（パソコン）４又はアナログ端末（ＦＡＸ）５により起動し、前記フレーム組立部１２ｃ、データフォーマット変換部１２ａ、ドライバ部１５を経て通信中の場合、前記予約割付されているＢチャンネルが空き状態であっても、このＢチャンネルとアナログ端末（電話機）６とは固定接続されているので、アナログ端末（電話機）６以外は、このＢチャンネルを介して発信することができない。
【００４０】
このようにターミナルアダプタ３は、通信システム２ｂからの着信を受けると、フレーム分解部１２ｂにてＢ１チャンネル及びＢ２チャンネルの二つのＢチャンネルに分割されたものをＢチャンネル制御部１４ａで受け付け、このＢチャンネル制御部１４ａにてＢチャンネル予約割付機能設定の有無を判断し、機能設定ありの場合には、一方のＢチャンネルを予約割付部１４ｃに接続し、予約する通信端末１０としての物理ポートに割り付ける。さらに他方のＢチャンネルは切替部１４ｂに接続し、予約されていない物理ポートのいずれかに接続する。
【００４１】
発信の場合は、例えばパソコン又はＦＡＸが通信中のときに、空き状態の一方のＢチャンネルを介してパソコン又はＦＡＸが通信を行おうとしても、この一方のＢチャンネルがアナログ端末（電話機）６に予約割付されているので、パソコン又はＦＡＸから発信することはできない。これによって、アナログ端末（電話機）６専用として発信を確保することができる。
【００４２】
次に、予約割付部１４ｃが一方のＢチャンネルをアナログ端末（ＦＡＸ）５に割り付けた場合には、このターミナルアダプタ３のレシーバ部１１は、他の通信システム２ｂのパソコン又は電話機からの着信をフレームとして受信し、このフレームをレイヤ１制御部１２に転送する。
【００４３】
このレイヤ１制御部１２は、データフォーマット変換部１２ａにてフレームをＡＭＩからＮＲＺに符号変換し、フレーム分解部１２ｂにてＢ１チャンネル及びＢ２チャンネルの二つのチャンネルに分割し、このＢチャンネルインタフェース部１４のＢチャンネル制御部１４ａにて、空き状態のＢチャンネルを、割付されていない物理ポートとしてのデータ端末（パソコン）４、又はアナログ端末（電話機）６のいずれかに接続する。
【００４４】
この際、予約割付されている一方のＢチャンネルが空き状態であったとしても、この一方のＢチャンネルがアナログ端末（ＦＡＸ）５に予約割付、つまり固定接続しているので、この一方のＢチャンネルでパソコンや電話機からの着信を受ける付けることは無く、アナログ端末（ＦＡＸ）５の専用端末として発着信を確保することができる。
【００４５】
また、発信の場合も同様に、データ端末（パソコン）４又はアナログ端末（電話機）６により起動し、前記フレーム組立部１２ｃ、データフォーマット変換部１２ａ、ドライバ部１５を経て通信中の場合、前記予約割付されているＢチャンネルが空き状態であっても、このＢチャンネルとアナログ端末（ＦＡＸ）５とは固定接続されているので、アナログ端末（ＦＡＸ）５以外は、このＢチャンネルを介して発信することができない。
【００４６】
次に、予約割付部１４ｃが一方のＢチャンネルをデータ端末（パソコン）４に割り付けた場合には、このターミナルアダプタ３のレシーバ部１１は、他の通信システム２ｂのＦＡＸ又は電話機からの着信をフレームとして受信し、このフレームをレイヤ１制御部１２に転送する。
【００４７】
このレイヤ１制御部１２は、データフォーマット変換部１２ａにてフレームをＡＭＩからＮＲＺに符号変換し、フレーム分解部１２ｂにてＢ１チャンネル及びＢ２チャンネルの二つのチャンネルに分割し、Ｂチャンネルインタフェース部１４のＢチャンネル制御部１４ａにて、割付されていない物理ポートであるアナログ端末（ＦＡＸ）５、又はアナログ端末（電話機）６のいずれかに接続する。
【００４８】
この際、予約割付されている一方のＢチャンネルが空き状態であったとしても、この一方のＢチャンネルがデータ端末（パソコン）４に予約割付、つまり固定接続しているので、この一方のＢチャンネルでＦＡＸや電話機からの着信を受ける付けることは無く、データ端末（パソコン）４の専用端末として発着信を確保することができる。
【００４９】
また、発信の場合も同様に、アナログ端末（ＦＡＸ）５又はアナログ端末（電話機）６により起動し、前記フレーム組立部１２ｃ、データフォーマット変換部１２ａ、ドライバ部１５を経て通信中の場合、前記予約割付されているＢチャンネルが空き状態であっても、このＢチャンネルとデータ端末（パソコン）４とは固定接続しているので、データ端末（パソコン）４以外は、このＢチャンネルを介して発信することができない。
【００５０】
従って、本実施の形態によれば、これらＢ１及びＢ２チャンネルの内、一方のＢチャンネルを緊急用のチャンネルとして所定の通信端末１０に固定接続しておき、この一方のＢチャンネルの空き状態を確保しながら、所定の通信端末１０の発着信を可能にしたので、常時、所定の通信端末に対する緊急時の発信又は着信に対して即座に対応することができる。
【００５１】
【発明の効果】
上記のように構成された本発明のＩＳＤＮに使用する通信装置によれば、これらＢ１及びＢ２チャンネルの内、一方のＢチャンネルを緊急用のチャンネルとして所定の通信端末に固定接続しておき、この一方のＢチャンネルの空き状態を確保しながら、所定の通信端末の発着信を可能にしたので、常時、所定の通信端末に対する緊急時の発信又は着信に対して即座に対応することができる。
【図面の簡単な説明】
【図１】本発明のＩＳＤＮ用通信装置の実施の形態を示すターミナルアダプタを適用したＩＳＤＮ通信システム内部の概略構成を示すブロック図である。
【図２】本実施の形態におけるターミナルアダプタ内部の概略構成を示すブロック図である。
【図３】本実施形態のターミナルアダプタのＢチャンネル予約割付機能における機能設定なし時の動作状態を示す動作説明図である。
【図４】本実施形態のターミナルアダプタのＢチャンネル予約割付機能における機能設定あり時の動作状態を示す動作説明図である。
【符号の説明】
１  ＩＳＤＮ（総合サービスデジタル通信網）
３  ターミナルアダプタ（ＩＳＤＮ用通信装置）
４  データ端末（パソコン；通信端末）
５  アナログ端末（ＦＡＸ；通信端末）
６  アナログ端末（電話機；通信端末）
１０  通信端末
１４  Ｂチャンネルインタフェース部
【図１】
0003752607.tif 000002
【図２】
0003752607.tif 000003
【図３】
0003752607.tif 000004
【図４】
0003752607.tif 000005